(57)【要約】      （修正有）【課題】沈降分離装置内の水流を全断面に均等に流して、水流の乱れを防止すると共に固形物の除去率を高めることのできる整流壁を提供する。【解決手段】スリット状開口部２を縦に設け、かつ隣接する開口部２間に間隔４を設けてなる沈降分離装置用整流壁１および整流壁１を用いた沈降分離装置。【選択図】図１
2018143936.tif 000002
【特許請求の範囲】
【請求項１】
整流壁体にスリット状開口部を縦方向に設け、かつ隣接する該開口部間に間隔を設けたことを特徴とする沈降分離装置用整流壁。
【請求項２】
沈降分離装置内に少なくとも１箇所に、整流壁体にスリット状開口部を縦方向に設け、かつ隣接する該開口部間に間隔を設けた沈降分離装置用整流壁を設けたことを特徴とする沈降分離装置。
【発明の詳細な説明】
【技術分野】
【０００１】
本発明は、原水（固形分を含む水）を整流して流し、固形分を効率的に重力によって沈降させる、沈降分離装置用整流壁および該沈降分離装置用整流壁を用いた沈降分離装置に関する。
【背景技術】
【０００２】
沈降分離装置には濃厚スラリーを得ることを目的とする濃縮装置（シックナー）と、清澄な液を得ることを目的とする清澄装置（横流式沈澱池・クラリファイヤー）とがある。
濃縮装置は、装置内に原水を流すと、液は出口方向に流れ、固形分は液の流れに乗って出口方向に流れながら重力によって下方に沈降させる装置である。また清澄装置（例えば横流式沈澱池）は、形は矩形または円形で、流入部或いは中心部の給液口から入った原水は固形物を沈降させながら流入部或いは円周方向に進み越流部から清澄な液を越流させ、沈降した固形物はレーキで中心部に集め排出口から排出する装置である。
【０００３】
これらの装置で水中の懸濁固形分を効率的に沈降させるためには、装置内の原水の流れを整流して流すことが必要であるが、実際には装置内に偏流が生起し固形分の効率的な除去が困難であった。
【発明の概要】
【発明が解決しようとする課題】
【０００４】
そこで従来は、装置内での偏流を防止するために、例えば横流沈澱池では、流入部や流出部に整流壁を設けていた。この整流壁は、水の流れを阻害し、水の持っているエネルギーを減ずることによって、水流のエネルギーの緩急の流れが局部的不均衡を是正し、全体の流れとして、出来るだけ均一なものとする目的のために設けられていた。そしてこれらの従来の整流壁の開口部は、もっぱら円形状の孔が多数設けられ、その開口面積は整流壁面積の約６％の割合で設けられたものであった。
【０００５】
しかしながら、従来の整流壁は、一定の整流効果はあるが整流孔通過部の流速が過大となることから、目的とする固形物の沈降が妨げられ除去率の低下を来していた。
本発明者は、これら従来の欠点がなく、沈降分離装置内の水流の乱れを防止し、かつ固形物の除去率を効果的に高める整流壁の構造について種々研究を重ねた結果、本発明を完成するに至った。
【課題を解決するための手段】
【０００６】
すなわち、本発明は、整流壁体にスリット状開口部を縦に並設し、かつ隣接する開口部間に間隔を設けてなる沈降分離装置用整流壁及び該整流壁を沈降分離装置内に少なくとも１箇所設けたことを特徴とする沈降分離装置である。
【発明の効果】
【０００７】
本発明の沈降分離装置用整流壁を用いれば、沈降分離装置内に原水を全断面に均等に流して水流の乱れを防止すると共に固形物粒子の密度帯を形成させて除去率を効果的に高めることが出来る。
【図面の簡単な説明】
【０００８】
【図１】沈降分離装置用整流壁の正面図である。
【図２】フロート付沈降分離装置用整流壁の正面図である。
【図３】流入口に整流壁を設けた状態を示すシックナー沈降分離装置の側断面図である。
【発明を実施するための形態】
【０００９】
本発明の沈降分離装置用整流壁について説明する。
図１は、沈降分離装置用整流壁の正面図である。整流壁体１に縦方向に延びたスリット状開口部２を並列して設ける。スリット状開口部２の開口幅３は、沈降分離装置の規模および原水の流入量によって変化するが、一般的には２〜５０ｃｍ、好ましくは５〜２０ｃｍの範囲が最適である。また隣接するスリット状開口部２間の間隔幅４も原水中の固形分濃度および原水中の流入量によっても変化するが、一般的には１０〜２５０ｃｍ、好ましくは２５〜１００ｃｍが最適である。
整流壁体１の素材としては、コンクリート、鉄板、ステンレス等の合金板、合成樹脂板（例えば硬質塩化ビニル板）等が揚げられる。
またスリット状開口部２の断面積は、水流（原水）の通水断面積の８〜５０％、好ましくは１０〜２５％が最適である。
【００１０】
本発明の沈降分離装置用整流壁が使用できる沈降分離装置としては特に制限されるものではないが、例えば横流式普通沈澱池、放射流式沈澱池、傾斜板式沈澱池、水流傾斜板式沈澱池等の清澄装置、円形で中心部の給液口から入ったスラリーの固形物を沈降させながら円周方向に進み越流部から清澄な液と越流させる回分式、連続式等の濃縮装置に使用できる。
【００１１】
本発明の沈降分離装置用整流壁は、新規に沈降分離装置を建設する場合には、該沈降分離装置と一体的に設置することが出来る。たとえば横流沈澱池の場合であれば、該装置の流入部、流出部或いは、該装置の中間部等の適宜の箇所に水流の流れ方向に対し、対面するように設置することができる。
【００１２】
また既設の沈降分離装置に設置する場合は、例えば図２に示すように整流壁体１の上部にフロート５を設けたフロート付整流壁６として沈降分離装置の横幅に合わせて設置すれば本発明の沈降分離装置とすることができる。
【００１３】
本発明の沈降分離用整流壁は、沈降分離装置内の水流（原水）を全断面に均等に流すことが目的であるので、該装置の水底部近傍から水面に至る水深部に設置することが好ましいが、該装置の水底に固形物の掻寄機等が設置されている場合には、その掻寄機に接触しない範囲で水底の掻寄機上部近傍迄設置すれば良い。
【００１４】
本発明の沈降分離装置用整流壁は、図２に示したフロート付整流壁６の変形として、整流壁体１を円弧状とすることによって、このものを横方向に連接することによって円形状の整流壁とすることができる。このように円形状の整流壁とすることによって、円形の連続シックナーにも好適に設置することができる。
【００１５】
本発明の沈降分離装置用整流壁を設けた沈降分離装置について説明する。
図３は、流入口に整流壁を設けた状態を示すシックナー沈降分離装置の側断面図である。シックナー沈降分離装置７の流入管８より原水をセンターウエル９に導入し、原水はセンターウエル９の下部を通過し、スラリーの固形物を沈降させながら円周方向に進み越流部１０から清澄な液を越流させ、沈降した固形物はレーキ１２で中心に集め排出管１１から排出し、レーキ１２はモーター１３にて回転している装置である。
【００１６】
センターウエル９には該センターウエル９の下部に整流壁１を設け、沈降分離装置７内に原水を全断面に均等に流して水流の乱れを防止すると共に固形物粒子の密度帯を形成させて除去率を効果的に高めると共に、沈降した固形物を濃縮し固形物の濃度を高められる。該整流壁１は回転しているレーキ１２に接触しない範囲で水底の該レーキ１２の上部近傍の位置まで設置すれば良い。
【００１７】
沈降分離装置７内のセンターウエル９の下部に整流壁１を設けると共に、該センターウエル９から越流部１０の中間に図２に示したフロート付整流壁６を円弧状に設ける事が出来る（図示せず）。
該センターウエル９の下部に整流壁１を設けた上に、フロート付整流壁６を円管状に設けることにより、好適に固形物粒子の除去率を高める。
【符号の説明】
【００１８】
１・・・整流壁
２・・・スリット状開口部
５・・・フロート
６・・・フロート付整流壁
【図１】
2018143936.tif 000003
【図２】
2018143936.tif 000004
【図３】
2018143936.tif 000005